(57)【要約】【課題】  磁気記録装置において、磁気ディスクに対して安定して記録再生を行うことを可能にする。【解決手段】  磁気記録装置の、ヘッド２６を担持する上サスペンション１７および下サスペンション１８の基部３０に、本体バネ２０の先端から弾性屈曲部３１までの部分に対応する領域が開口された平板状の整流板５０を設け、磁気記録装置によりディスク２に対して磁気記録再生を行う際に、整流板５０によってディスク２上に流れる気流を利用してヘッド２６のディスク２の盤面からの高さの変動を抑制して、ディスク２に対して安定して記録再生を行うことができるようにする。【選択図】          図３
2005182921.tif 000002
【特許請求の範囲】
【請求項１】
スイングアーム式のアクチュエーターの磁気ヘッドにより円盤状の磁気ディスクに対する記録再生を行う磁気記録装置において、
前記アクチュエーターが、キャリッジ、該キャリッジの先端に取り付けられたサスペンション、該サスペンションの先端に取り付けられた前記磁気ヘッド、および該磁気ヘッドと前記サスペンションの周囲の少なくとも一部に延在し、前記磁気ディスクが回転している際に該磁気ディスク上に流れる気流を整流する整流板を含むものであることを特徴とする磁気記録装置。
【請求項２】
前記整流板が、前記磁気ヘッドの先端および前記サスペンションの両側を取り囲むように配置されていることを特徴とする請求項１記載の磁気記録装置。
【請求項３】
前記整流板が、前記磁気ヘッドの先端および前記サスペンションの片側に沿ってに配置されていることを特徴とする請求項１記載の磁気記録装置。
【請求項４】
前記整流板が、前記キャリッジに固定されていることを特徴とする請求項１から３のいずれか１項記載の磁気記録装置。
【請求項５】
前記整流板が、前記サスペンションの前記キャリッジ側基部に固定されていることを特徴とする請求項１から３のいずれか１項記載の磁気記録装置。
【発明の詳細な説明】
【技術分野】
【０００１】
本発明は、ケース内に円盤状の磁気ディスクを収容した磁気ディスクカートリッジに対し、その磁気ディスクに記録再生を行う磁気記録装置に関するものである。
【背景技術】
【０００２】
近年、デジタルカメラ、デジタルビデオカメラ、ノートパソコン等の電子機器の急速な普及に合わせて、それらに使用される記録媒体（以下、メディアという）も様々なものが提案され、また実用に供されている。これらのメディアについては、可搬性、利便性、経済性等の点から、大容量で安価な小型のメディアの実現が望まれている。
【０００３】
現在、実用に供されているものとしては、半導体メモリタイプのもの、ハードディスクタイプのもの、光磁気ディスクタイプのもの、磁気ディスクタイプのもの等、各種のものがあげられるが、その中では、半導体のメモリが小型で取り扱いやすく、記録容量も適当に大きいので、最もポピュラーであるが、比較的価格が高いという問題がある。また、ハードディスク型のものとしては、３４０ＭＢや１ＧＢの容量を持つものが知られているが、これも価格が高いという問題がある。一方、光磁気ディスク型のものは比較的安価で大きさの割に記録容量が大きく、例えばＭＯカートリッジでは現在１２８ＭＢ〜１．３ＧＢまでの容量のものが提供されているが、光磁気ディスクは書込みに時間がかかるので記録速度が遅いという問題がある。
【０００４】
そのような問題を踏まえ、デジタルカメラで撮影したデータやパソコンのデータをそのまま保存したり、気軽に人に上げたりすることができるような大容量で安価な小型のメディアとして、特許文献１に記載されているようなｃｌｉｋ！（登録商標）等の磁気ディスクカートリッジが実用に供されている。このｃｌｉｋ！（登録商標）は、大凡５０ｍｍ×５５ｍｍ×２ｍｍのサイズのハウジングの中に、センタコアに固着保持されたフレキシブルな磁気ディスクを回転自在に収容したものであり、４０ＭＢの容量を持つものである。
【０００５】
また、ｃｌｉｋ！（登録商標）の記録再生用ドライブ（磁気記録装置）としては、パソコン等の機器にＵＳＢにより接続可能なドライブの他に、ＴｙｐｅIIＰＣカード型のドライブが存在する。このＰＣカード型のドライブは大凡５３ｍｍ×８５ｍｍ×５ｍｍのサイズのものであり、ドライブ全体をパソコン等のＰＣカードスロットに挿入することが可能である。
【０００６】
上記のように、ｃｌｉｋ！（登録商標）は現行のメディアの中でも非常に可搬性および利便性が高く、またメディアの価格も安いことから、近年注目を集めているメディアである。
【特許文献１】特表WO00/079535号公報
【発明の開示】
【発明が解決しようとする課題】
【０００７】
ところで、上記のｃｌｉｋ！（登録商標）等において、磁気ディスクに対する信号の記録再生は、ドライブ側に設けられたアクチュエーターによって行われる。このアクチュエーターは、キャリッジと、このキャリッジの先端に取り付けられたサスペンションと、このサスペンションの先端に取り付けられた磁気ヘッドと、キャリッジの後端に取り付けられたボイスコイルモーターの可動コイルと、キャリッジを回動させるボイスコイルモーターの固定マグネットとから概略構成される。磁気ヘッドは磁気ディスク上から僅かに浮上させた状態とされるが、この磁気ヘッドに、フライイングハイト変化、ピッチング、ローリング、ヨーイング等の微小振動が発生してその僅かな浮上状態が変動すると、信号の位相ずれ、微小信号欠落等が発生し、書込信号または読取信号に不良が発生する。このような現象は、磁気ディスクの回転速度が高速になる程、磁気ディスクカートリッジの磁気ヘッドをアクセスさせるための開口部とこの開口部以外の部分との間で気流の変動が生じるために、顕著に発生する。
【０００８】
特に、近年では、磁気ディスクカートリッジの記録容量を増加させるために、トラック密度の向上（高ＴＰＩ化）や記録線密度の向上（高ＢＰＩ化）等が行われているため、このような高ＴＰＩ化および高ＢＰＩ化されて大容量化された磁気ディスクに対して記録再生を行う際に上記の様な磁気ヘッドの僅かな浮上状態の変動が生じてしまうと、データの信頼性に対して深刻な影響を与える。
【０００９】
本発明は上記のような問題に鑑みてなされたものであり、磁気ディスクに対して安定して記録再生を行うことが可能な磁気記録装置を提供することを目的とするものである。
【課題を解決するための手段】
【００１０】
本発明による磁気記録装置は、スイングアーム式のアクチュエーターの磁気ヘッドにより円盤状の磁気ディスクに対する記録再生を行う磁気記録装置において、アクチュエーターが、キャリッジ、キャリッジの先端に取り付けられたサスペンション、サスペンションの先端に取り付けられた磁気ヘッド、および磁気ヘッドとサスペンションの周囲の少なくとも一部に延在し、磁気ディスクが回転している際に磁気ディスク上に流れる気流を整流する整流板を含むものであることを特徴とするものである。
【００１１】
本発明において、整流板は、磁気ヘッドの先端およびサスペンションの両側を取り囲むように配置してもよいし、磁気ヘッドの先端およびサスペンションの片側に沿って配置してもよい。
【００１２】
また、整流板は、キャリッジに固定してもよいし、サスペンションのキャリッジ側基部に固定してもよい。
【００１３】
本発明による磁気記録装置においては、磁気ディスクの回転数を２０００〜８０００ｒｐｍとすることが好ましい。
【００１４】
また、本発明による磁気記録装置は、磁気ディスクの有効面積（磁気ヘッドがアクセス可能な面積）に対する磁気ディスクカートリッジの磁気ヘッドをアクセスさせるための開口部の面積が１０％〜５０％の磁気ディスクカートリッジを用いる場合に、特に有効である。
【発明の効果】
【００１５】
本発明による磁気記録装置によれば、スイングアーム式のアクチュエーターの磁気ヘッドとサスペンションの周囲の少なくとも一部に、磁気ディスクが回転している際にこの磁気ディスク上に流れる気流を整流する整流板を設けたことにより、この整流板によって気流を整流する際に整流板の上面および下面に流れる気流を利用して、磁気ヘッドの磁気ディスクの盤面からの相対位置の変動を抑制できるため、磁気ディスクに対して安定した記録再生を行うことが可能となる。
【００１６】
特に、リムーバブルなフレキシブル磁気ディスクカートリッジを使用する記録再生システムにおいては、上記磁気ディスクカートリッジが比較的大きな面積（例えば、磁気ディスクの全記録面積に対して２０％〜６０％）のヘッドアクセス口と、そのアクセス口を開閉可能なシャッターとを有する構成とされるが、記録再生時は、ヘッドアクセス口が開いた状態とされるため、このアクセス口の部分とそれ以外の部分との間で、磁気ディスク上に流れる気流の変動が必然的に生じてしまう。この気流の変動は、本発明による磁気記録装置の整流板で効果的に抑えることが可能であり、その結果として磁気ディスクの盤面からの磁気ヘッドの相対位置の変動が減少し、安定した記録再生が達成できる。
【発明を実施するための最良の形態】
【００１７】
図１は、ＰＣＭＣＩＡ規格のタイプＩＩに準拠するカード型磁気記録装置１とディスク２を示す分解斜視図であり、図２はカード型磁気記録装置１の上カバーを取り外した平面図である。
【００１８】
ディスク型の磁気記録媒体（以下、ディスクという）２はシェル３に納められてカートリッジ４となる。シェル３にはシャッター５が付いている。シャッター５は常時閉じ方向に付勢されているが、カートリッジ４を磁気記録装置１にその挿入口３３から装填するときの動作で開かれる（図１では、開いた状態で示している）。
【００１９】
磁気記録装置１は、本体部６、上カバー７、下カバー８及び情報処理装置９を備える。本体部６と情報処理装置９との間には絶縁シート１０が配置される。
【００２０】
上カバー７と下カバー８は共にステンレスの薄板をプレス加工したものであって、本体部６の上下両面に係合と接着によって取り付ける。
【００２１】
本体部６は、合成樹脂の周縁枠１１、これと一体にアウトサート成形されたフレームプレート１２及びフレームプレート１２に装着されたスピンドルモーター１３、アクチュエーター１４、ロードランプ１５及び突き出し機構１６などの諸部品から構成される。スピンドルモーター１３はディスク２を駆動する。
【００２２】
情報処理装置９は、回路基板に種々の素子やパッケージを組み付けると共に入出力部を備えたものであって、ディスク２へのまたはディスク２からの情報の読み出し書き込み及び情報の処理並びにスピンドルモーター１３やアクチュエーター１４の駆動を制御する。磁気記録装置１と情報処理装置９とはコネクタ３２で接続される。
【００２３】
アクチュエーター１４の構造を図３及び図４を参照して説明する。なお、図４では整流板５０は省略している。
【００２４】
アクチュエーター１４は、キャリッジ１９と、このキャリッジ１９の先端に取り付けられた上サスペンション１７および下サスペンション１８と、この上サスペンション１７および下サスペンション１８の先端に取り付けられた磁気ヘッド２６と、キャリッジ１９の後端に取り付けられたボイスコイルモーターの可動コイル２４と、キャリッジ１９を回動させるボイスコイルモーターの固定マグネット（図示せず）とから概略構成される。
【００２５】
キャリッジ１９は、硬質樹脂の成形品で、フレームプレート１２に軸２３を中心に回動自在に取り付けられる。アクチュエーター１４は上サスペンション１７および下サスペンション１８を備え、これらはキャリッジ１９によって互いに対向するように固定されている。したがって、上サスペンション１７および下サスペンション１８はキャリッジ１９の軸２３を中心に同時に回動して、ディスク２の片面または両面から情報を読み出し書き込みをする。
【００２６】
キャリッジ１９にはさらにボイスコイルモーターの可動コイル２４が取り付けられている。可動コイル２４はヘッドをアクセス位置に駆動するためであって、アクセス位置から退避位置への移動は復帰用バネ（図示せず）の弾性を利用する。復帰用バネは突き出し機構のものが兼用されている。
【００２７】
上サスペンション１７および下サスペンション１８は同じ構造である。これら上サスペンション１７および下サスペンション１８は、図４に示すように、本体バネ２０、支持バネ２１及びジンバル部２２から構成される。
【００２８】
本体バネ２０は、ステンレスの薄板をプレス加工して、中間に弾性屈曲部３１（図３）を形成したほぼ平らな細長い板で、その後方基部はキャリッジ１９に固定されている。
【００２９】
支持バネ２１は、本体バネ２０の前方部に取り付けられている。また、その支持バネ２１の先端部には、プレスによる打ち抜きでジンバル部２２が形成されている。このジンバル部２２は、突出した先端部が本体バネ２０の先端に設けた係合孔２５に嵌挿している。
【００３０】
記録再生用の磁気ヘッド（以下、ヘッドという）２６は、ジンバル部２２の中間部に接着されている。
【００３１】
また、上サスペンション１７および下サスペンション１８の基部３０には、本体バネ２０の先端から弾性屈曲部３１までの部分に対応する領域が開口された平板状の整流板５０が固着されている。整流板５０は、ディスク２の盤面と平行になるように設けられており、ディスク２の回転によって発生する気流を整流することによって整流板５０の上面および下面に流れる気流を利用して、ヘッド２６のディスク２の盤面からの高さの変動を抑制するためのものである。
【００３２】
ロードランプ１５は、図２に示すように、フレームプレート１２に固定される。
【００３３】
次に、本実施の形態の磁気記録装置１の作用について説明する。
【００３４】
磁気記録装置１の挿入口３３からカートリッジ４を挿入すると、シェル３のシャッター５はカートリッジ４が差し込まれるときの動きによって開かれる。シェル３はスピンドルモーター１３の上面に位置して、格納してあるディスク２がこのモーター１３で駆動回転される。そして、キャリッジ１９が軸２３を中心に回動して、先端のヘッド２６が退避位置からアクセス位置へ移動してディスク２にまたはディスク２から情報の読み出し書き込みを行う。
【００３５】
ディスク２にまたはディスク２から情報の読み出し書き込みが終了すると、ヘッド２６はロードランプ１５に向かって移動を開始する。そして、その上サスペンション１７および下サスペンション１８がロードランプ１５を挟持する退避位置に至り、その位置で待機する。
【００３６】
図５に示すように、上サスペンション１７および下サスペンション１８がディスクアクセス位置にある際には、基部３０に固着された整流板５０によってディスク２が回転している際にこのディスク２上に流れる気流を整流することにより、整流の際に整流板５０の上面および下面に流れる気流を利用して、上サスペンション１７および下サスペンション１８の先端に取付けられたヘッド２６のディスク２の盤面からの高さの変動を抑制できるため、ディスク２に対して安定した記録・再生を行うことが可能となる。
【００３７】
記録・再生が終了すると、可動コイル２４の励磁が解除され、上サスペンション１７および下サスペンション１８は復帰バネによって退避位置に戻される。
【００３８】
以上、本発明の好ましい実施の形態について説明したが、本発明は上記実施の形態に限定されるものではなく、整流板５０の形状を、図６および図７に示すように、上サスペンション１７および下サスペンション１８の先端および片側のみに配置する態様（整流板５１または５２）としても良いし、また、大きさ、形状を任意に変更することも可能である。また、整流板５０はキャリッジ１９に固定しても良い。
【００３９】
さらに、整流板５０のディスク２と対向する面にクリーニング部材を設けることもできる。このクリーニング部材は、ディスク２の表面に傷を付けないと共に、塵埃の原因となる屑が発生しないような素材によって接触面部分を形成するもので、例えば、不織布、長繊維布、起毛体、繊維ブラシ等で形成される。また、クリーニング部材の全体を上記素材で形成するか、プラスチック、ゴム等の軟質材の表面に上記素材を固着して構成してもよい。さらに、硬質セラミック部材を用いて、塵埃を掻き落とすように除去するクリーニング部材を設置することも可能である。なお、このクリーニング部材は、整流板５０の全面に設けてもよいし、部分的に設けてもよい。
【００４０】
整流板５０に、このようなクリーニング部材を設けることによって、上記実施の形態と同様の効果を得ることができるとともに、クリーニング部材がディスク２表面に接触してワイピングを行い、このディスク２表面に付着している塵埃等を除去するため、このような塵埃等に起因するドロップアウトの発生を防止することができる。
【図面の簡単な説明】
【００４１】
【図１】本発明の一実施の形態のカード型磁気記録装置、およびこの装置に挿入されるカートリッジを示す分解斜視図
【図２】上記カード型磁気記録装置の上カバーを取り外して内部を見せた図
【図３】上記カード型磁気記録装置を構成するアクチュエーターとロードランプの斜視図
【図４】上記カード型磁気記録装置のロードランプをその支持部の先端側から（図３の矢印Ｃ方向から）見た図
【図５】上記カード型磁気記録装置のヘッドがディスクにアクセスしている状態の上面図
【図６】本発明の他の態様のカード型磁気記録装置のアクチュエーターの斜視図
【図７】本発明の他の態様のカード型磁気記録装置のヘッドがディスクにアクセスしている状態の上面図
【符号の説明】
【００４２】
１    磁気記録装置
２    磁気ディスク
３    シェル
４    カートリッジ
５    シャッター
６    本体部
７    上カバー
８    下カバー
９    情報処理装置
１０    絶縁シート
１１    周縁枠
１２    フレームプレート
１３    スピンドルモーター
１４    アクチュエーター
１５    ロードランプ
１６    突き出し機構
１７、１８    サスペンション
１９    キャリッジ
２０    本体バネ
２１    支持バネ
２２    ジンバル部
２３    軸
２４    可動コイル
２５    係合孔
２６    ヘッド
３０    基部
３１    屈曲部
３２    コネクタ
３３    挿入口
５０、５１、５２    整流板
【図１】
2005182921.tif 000003
【図２】
2005182921.tif 000004
【図３】
2005182921.tif 000005
【図４】
2005182921.tif 000006
【図５】
2005182921.tif 000007
【図６】
2005182921.tif 000008
【図７】
2005182921.tif 000009